(57)【特許請求の範囲】
【請求項１】
長手方向及びそれと交差する幅方向と、身体対向面及びその反対側の非身体対向面と、前記長手方向において対向する第１及び第２端縁と、愛玩動物の尻尾と対向する尻尾対向域と、前記尻尾対向域から前記第１端縁側へ延びる、前記愛玩動物の一方の尻部を被覆する第１区域と、前記尻尾対向域から前記第２端縁側へ延びる、前記愛玩動物の他方の尻部を被覆する第２区域と、前記第１区域と前記第２区域とに位置する吸収性コアとを有する愛玩動物用の吸収性物品。
【請求項２】
前記吸収性コアの両側縁の前記幅方向の外側において前記長手方向へ延びる両側部をさらに有し、一方側部側には前記尻尾対向域が位置し、他方側部には前記長手方向へ延びる第１弾性部材が配置される請求項１に記載の吸収性物品。
【請求項３】
前記尻尾対向域の位置する前記一方側部には、前記長手方向へ延びる第２弾性部材が配置される請求項２に記載の吸収性物品。
【請求項４】
前記吸収性コアの前記身体対向面側を被覆する透液性の内層シートと、前記吸収性コアの前記非身体対向面側を被覆する不透液性の外層シートとをさらに有する請求項１〜３のいずれかに記載の吸収性物品。
【請求項５】
前記第１及び第２弾性部材は、身体対向面側に位置するシートと前記吸収性コアの非身体対向面側を被覆する不透液性の外層シートとの間に固定される請求項３に記載の吸収性物品。
【請求項６】
前記身体対向面側に位置する前記シートは、不透液性である請求項５に記載の吸収性物品。
【請求項７】
前記両側部のうちの少なくとも一方には、前記第１及び第２端縁側において前記内層シートに固定された両端固定部と、前記両端固定部間において前記長手方向へ延び、かつ、前記内層シートに固定された固定側部と、カフ弾性体が配置された自由縁部とを有する立体カフシートが配置される請求項４に記載の吸収性物品。
【請求項８】
前記立体カフシートが、前記両端固定部において前記幅方向の内側へ倒伏した状態で固定される請求項７に記載の吸収性物品。
【請求項９】
前記立体カフシートが、前記両端固定部において前記幅方向の外側へ倒伏した状態で固定される請求項７に記載の吸収性物品。
【請求項１０】
前記尻尾対向域の一部が前記長手方向において前記吸収性コアと重なっており、前記尻尾対向域の外周には前記吸収性コアの非存在域が位置する請求項１〜９のいずれかに記載の吸収性物品。
【請求項１１】
前記尻尾対向域は、開口又はミシン目から形成される切断ラインを有する請求項１〜１０のいずれかに記載の吸収性物品。
【発明の詳細な説明】
【技術分野】
【０００１】
本発明は、犬や猫等の愛玩動物（ペット）の排泄物を吸収するための吸収性物品に関する。
【背景技術】
【０００２】
従来、犬や猫等の愛玩動物の身体に着用させるための吸収性物品は公知である。例えば、特許文献１には、腹側域と、背側域と、背側域と腹側域との間に位置する中間域と、透液性を有する内層シートと、不透液性を有する外層シートと、内外層シート間に介在された吸収性コアとを有する愛玩動物用の吸収性物品が開示されている。
【０００３】
特許文献２には、透液性の内層シートと、不透液性の外層シートと、内外層シート間に介在された吸収性コアとを有し、愛玩動物の胴回りに巻き付けるように着用させる愛玩動物用の吸収性物品が開示されている。
【先行技術文献】
【特許文献】
【０００４】
【特許文献１】特開２００４−１５９５９１号公報（Ｐ２００４−１５９５９１Ａ）
【特許文献２】特開２０１２−１８７０９５号公報（Ｐ２０１２−１８７０９５Ａ）
【発明の概要】
【発明が解決しようとする課題】
【０００５】
特許文献１に開示された愛玩動物用の吸収性物品は、主として雌用であって、腹側域と背側域とを連結することによって排泄口（陰門）を被覆した状態で愛玩動物の身体に着用させることによって中間域の曲状を有する両側縁が後肢に沿うようにフィットされるので、排泄物の漏れを防止することができる。
【０００６】
特許文献２に開示された愛玩動物用の吸収性物品は、主として雄用であって、胴回りに巻き付けた状態で両端部分を互いに止着することによって、排泄口を被覆した状態で着用させることができ、排泄物の漏れを防止することができる。
【０００７】
しかし、愛玩動物が比較的に高齢（１０歳〜２０歳）の場合には、寝たきりの状態となり、身体の左右いずれかの側面が常時床面に当接した状態となる。このように、比較的に長時間横臥した状態を維持することによって褥瘡を発生するおそれがある。褥瘡は、内部が蒸れた状態で身体の一部に圧力が掛かることによって生じるおそれがあるところ、高齢の愛玩動物がこれらの吸収性物品を着用した場合には、排泄物によって内部が蒸れて湿潤状態となり、より褥瘡が発生しやすくなる。一方、かかる内部の蒸れを防止するために、吸収性物品を着用させずに、吸収性シートを床面に配置した場合には、排泄物によって身体が汚れるとともに、排泄物が床面に拡がって吸収性シートから外に流れ出るおそれがある。
【０００８】
本発明は、従来の愛玩動物用の吸収性物品の改良であって、寝たきり状態の愛玩動物に適した吸収性物品の提供を課題にしている。
【課題を解決するための手段】
【０００９】
前記課題を解決するために、本発明は、長手方向及びそれと交差する幅方向と、身体対向面及びその反対側の非身体対向面と、前記長手方向において対向する第１及び第２端縁と、愛玩動物の尻尾と対向する尻尾対向域と、前記尻尾対向域から前記第１端縁側へ延びる、前記愛玩動物の一方の尻部を被覆する第１区域と、前記尻尾対向域から前記第２端縁側へ延びる、前記愛玩動物の他方の尻部を被覆する第２区域と、前記第１区域と前記第２区域とに位置する吸収性コアとを有する愛玩動物用の吸収性物品に関する。
【発明の効果】
【００１０】
本発明の１つ以上の実施の形態に係る愛玩動物用の吸収性物品は、愛玩動物の尻尾と対向する尻尾対向域と、それぞれ尻部を被覆する第１区域と第２区域を有することから、寝たきりの愛玩動物が横臥した状態において、床面側に移動した比較的に多量の排泄物を吸収性コアに速やかに吸収させることができる。また、吸収性物品と身体との間に排尿による蒸れが生じ難く、褥瘡の発生を防ぐことができる。
【図面の簡単な説明】
【００１１】
図面は、本発明の特定の実施の形態を示し、発明の不可欠な構成ばかりでなく、選択的及び好ましい実施の形態を含む。
【図１】本発明の第１実施形態に係る愛玩動物用の吸収性物品を着用した愛玩動物が横臥した様子を示す図。
【図２】各弾性部材の最大伸長時（弾性材部材の収縮作用によるギャザーがなくなる程度）まで長手方向及び幅方向に伸展した吸収性物品の一部破断展開平面図。
【図３】図２のＩＩＩ−ＩＩＩ線に沿う断面図。
【図４】愛玩動物が図１と反対側の方向へ横臥した様子を示す図。
【図５】吸収性物品を着用した愛玩動物を後側から視た図。
【図６】第２実施形態における図２と同様の一部破断展開図。
【図７】図６のＶＩＩ−ＶＩＩ線に沿う断面図。
【図８】第２実施形態に係る愛玩動物用の吸収性物品を着用した愛玩動物が横臥した様子を示す図。
【図９】吸収性物品を着用した愛玩動物を後側から視た図。
【発明を実施するための形態】
【００１２】
下記の各実施の形態は、図１〜９に示す愛玩動物用の吸収性物品に関し、発明の不可欠な構成ばかりではなく、選択的及び好ましい構成を含む。
【００１３】
図１〜図４を参照すると、愛玩動物（ペット）用の吸収性物品１０は、互いに交差する長手方向Ｙ及び幅方向Ｘと、幅方向Ｘの寸法を２等分する第１軸Ｐと、長手方向Ｙの寸法を２等分する第２軸Ｑと、愛玩動物５の身体と対向する身体対向面とその反対側に位置する非身体対向面とを有する。吸収性物品１０は、幅方向Ｘにおいて互いに対向する第１端縁１０ａと第２端縁１０ｂと、それらの間において長手方向Ｙへ延びる両側縁１０ｃ，１０ｄとによって画成された長手方向Ｙへ長い矩形状を有する。
【００１４】
吸収性物品１０は、愛玩動物５の尻尾と対向する尻尾対向域１３と、尻尾対向域１３から第１端縁１０ａ側へ延びる、愛玩動物５の一方の尻部を被覆する第１区域１１と、尻尾対向域１３から第２端縁１０ｂ側へ延びる、愛玩動物５の他方の尻部を被覆する第２区域１２と、第１区域１１と第２区域１２とに位置する吸収性コア１５とを有する。
【００１５】
吸収性物品１０の長手方向Ｙの寸法Ｌ１は約３００〜１０００ｍｍ、幅方向Ｘの寸法Ｗ１は約８０〜５００ｍｍである。第１区域１１及び第２区域１２の長手方向Ｙの寸法Ｌ２，Ｌ３は、約１５０〜５００ｍｍである。
【００１６】
吸収性物品１０は、身体対向面側に位置する透液性の内層シート２０と、透湿性プラスチックフィルム、繊維不織布、それらのラミネートシート等から形成され、非身体対向面側に位置する不透液性の外層シート３０と、内外層シート２０，３０間の間に介在された吸収性コア１５とをさらに含む。また、吸収性コア１５と外層シート３０との間には、不透液性かつ透湿性のプラスチックフィルムから形成された防漏シート４０が配置されている。内外層シート２０，３０と防漏シート４０とは、吸収性コア１５の周縁から延出しており、互いに重なる各シート２０，３０，４０の延出部分が、それぞれ少なくともいずれか一方の内面に塗布されたホットメルト接着剤を介して互いに接合される。
【００１７】
吸収性物品１０の身体対向面側には、第１及び第２側縁１０ｃ，１０ｄに沿って長手方向Ｙへ延びる一対の被覆シート５０が配置される。被覆シート５０は、透液性又は不透液性の繊維不織布、プラスチックフィルム、それらのラミネートシート等から形成される。被覆シート５０は、内層シート２０を被覆して固定されるともに、内層シート２０の両側縁から幅方向Ｘの外側へ延出する外層シート３０の延出部分とホットメルト接着剤（図示せず）を介して互いに固定される。このように、内層シート２０の両側縁部が被覆シート５０に被覆され、かつ、吸収性物品１０の両側縁部が不透液性のシートから形成されることから、内層シート２０の両側縁から滲出した尿が外部に漏れ出るのを防止することができる。
【００１８】
吸収性コア１５は、長手方向Ｙにおいて対向する両端縁１５ａ，１５ｂとそれらの間において長手方向Ｙへ延びる両側縁１５ｃ，１５ｄとから画成された矩形状であって、不水溶性かつ自己質量の１０倍以上の吸水力を有するいわゆる高吸収性ポリマー（ＳＡＰ）粒子、木材フラッフパルプ、オプションとして熱可塑性繊維を僅かに含む混合物から形成される。吸収性コア１５は、親水性かつ液拡散性を有する不織布又はティッシュペーパから形成されたコアカバーシート（図示せず）によって包被される。コアカバーシートは、内層シート２０及び／又は防漏シート４０とホットメルト接着剤を介して接合されている。
【００１９】
吸収性物品１０は、吸収性コア１５の両側縁１５ｃ，１５ｄの幅方向Ｘの外側において長手方向Ｙへ延びる第１及び第２側部（両側部）１６，１７と、幅方向Ｘにおいて第１及び第２側部１６，１７間に位置する中央部１８とを有する。第１側部１６を形成する外層シート３０と被覆シート５０との間には、長手方向Ｙへ延びるストリング状又はストランド状の弾性部材（第１弾性部材）６１が伸長状態で収縮可能に取り付けられる。第１側部１６の側縁部１６ａには、弾性部材６１の収縮力が作用する弾性部が形成され、着用状態において、側縁部１６ａはフリル状を有する。
【００２０】
図２を参照すると、尻尾対向域１３には、愛玩動物５の尻尾６を挿通する開口（挿通孔）を形成するための略Ｕ字状の切断ライン１９（ミシン目）が配置される。切断ライン１９は、吸収性物品１０の平面視において互いに重なる内層シート２０、防漏シート４０及び外層シート３０を貫通する。ここで、尻尾対向域１３とは、吸収性物品１０を着用する愛玩動物５の尻尾６と対向する領域であって、ミシン目や開口からなる切断ライン１９が形成されていなくてもよい。また、尻尾６を有しない愛玩動物５が着用する場合であっても、愛玩動物５の尻部８を被覆する第１及び第２区域１１，１２の境界となる領域として存在する。
【００２１】
切断ライン１９に沿って吸収性物品１０の一部を切断し、各シート２０，３０が接合又は非接合された状態における舌片１９Ａ（図５参照）を外側へ向けて折り曲げることによって開口が形成される。開口は、尻尾６を挿通するだけでなく、尻尾６の真下に位置する肛門９から排泄される排泄物（糞）を外部に排出できるように、肛門９と対向することができる程度の大きさを有していてもよい。舌片１９Ａは、吸収性物品１０から分離（切り取り）可能であって、舌片１９Ａを分離することによって、舌片１９Ａに肛門９から排泄された排泄物がそれに付着するのを防止することができる。
【００２２】
切断ライン１９の位置する尻尾対向域１３は、その一部が長手方向Ｙにおいて吸収性コア１５と重なっており、吸収性コア１５の一方側縁１５ｄの略中央部において幅方向Ｘの内側へ凹曲する凹曲部分１５ｆ内に位置している。尻尾対向域１３は、吸収性コア１５の凹曲部分１５ｆ内に位置することによって、吸収性コア１５と切断ライン１９とは所与寸法離間しており、それらの間には、吸収性コア１５の存在しない非存在域２１が形成される。吸収性コア１５と切断ライン１９とが重なっていたり、互いに近接する場合には、吸収性コア１５において吸収、拡散された尿が切断ライン１９を切断して形成された開口から外部に漏れ出るおそれがあるが、このように所与寸法離間していることによって、かかる事態を防止することができる。また、尻尾６の動きが吸収性コア１５に直接的に作用してその吸収性を低下させるような皺や変形が生じるのを抑制することができる。かかる効果を奏するために、切断ライン１９と吸収性コア１５との離間寸法Ｒは、少なくとも５ｍｍ以上、１００ｍｍ以内が好ましい。なお、本実施形態においては、切断ライン１９は、第２側部１７側にのみ配置されているが、第１及び第２側部１６，１７のそれぞれに配置されていてもよい。
【００２３】
尻尾対向域１３には、ミシン目からなる切断ライン１９が配置されているが、ミシン目ではなく、吸収性物品１０の一部をくり抜くことによって形成された尻尾を挿通可能な開口が配置されていてもよい。また、尻尾対向域１３には、尻尾６が挿通する限りにおいて、第２側縁１０ｄから第１軸Ｐへ向かって凸状に延びる切欠が形成されていてもよい。また、切断ライン１９は、幅方向Ｘの外側へ凸曲した形状を有しているが、愛玩動物５の尻尾６の大きさや形状に合わせてライン状、円形、矩形状等の各種公知の形状であってもよい。
【００２４】
本実施形態において、切断ライン１９は、第２軸Ｑと交差し、かつ、それに関して対称に形成されている。既述のとおり、第１及び第２区域１１，１２は、それぞれ、切断ライン１９の位置する尻尾対向域１３から第１及び第２端縁１０ａ，１０ｂ側へ延びる領域であって、具体的には、それぞれ、第２軸Ｑから第１及び第２端縁１０ａ，１０ｂ側へ延びる領域を意味する。したがって、第１区域１１の長手方向Ｙの寸法Ｌ２と第２区域１２の長手方向Ｙの寸法Ｌ３とは、ほぼ同じであって、各寸法Ｌ２，Ｌ３は吸収性物品１０の長手方向Ｙの寸法Ｌ１の約５０％の大きさである。愛玩動物５の左右側のいずれかが床面４に当接した状態であっても、床面４側（下方側）へ移動した尿の吸収容量がほぼ同じになるように、第１区域１１の寸法Ｌ２と第２区域１２の寸法Ｌ３とは、ほぼ同じであることが好ましい。ただし、切断ライン１９は、第２軸Ｑと交差せずに、第１端縁１０ａ側又は第２端縁１０ｂ側へ偏倚して位置していてもよく、かかる場合には、尻尾対向域１３（又は切断ライン１９）の長手寸法の中央部を基準として第１及び第２区域１１，１２が区分される。したがって、第１区域１１の寸法Ｌ２と第２区域１２の寸法Ｌ３との関係において、前者が後者よりも大きくてもよいし、後者が前者よりも大きくてもよく、寸法Ｌ２，Ｌ３が寸法Ｌ１の約４０〜６０％の大きさであってもよい。
【００２５】
図５を参照すると、吸収性物品１０を愛玩動物５に着用させるときには、切断ライン１９に沿って吸収性物品１０の一部を破断して開口を形成し、身体対向面側を愛玩動物の身体に当接させて開口に尻尾６を挿通させる。尻尾６を開口に挿通することによって、愛玩動物５が立位状態であっても横臥状態であっても、吸収性物品１０が身体から外れることはない。また、愛玩動物５が雌犬である場合には、肛門９が吸収性コア１５内に位置し、排泄された尿を速やかに吸収性コア１５で吸収、保持することができる。
【００２６】
再び、図１を参照すると、比較的に高齢（１０歳以上）の愛玩動物５は、体を休めるときであっても、腹這いになった状態を維持することができず、半身が床面４に当接させたまま寝たきりの状態となる。愛玩動物５がかかる横臥した状態において排尿をしたときには、排泄された尿が床面４において愛玩動物５の背側及び／又は後側に拡がるように移動するおそれがある。愛玩動物用のおむつとして通常使用されている、腹側域と背側域とを係止手段で連結するタイプの雌用の吸収性物品や胴回りに巻き付けた状態で両端部どうしを連結するタイプの雄用の吸収性物品においては、愛玩動物が立位、座位及びうつ伏せ状態において排尿したときを想定したものであって、排泄口を身体の延びる方向（前後方向）へ延在する吸収性コアで被覆して尿を速やかに吸収して前後方向へ拡散するものである。したがって、愛玩動物が横臥状態の場合には、床面に当接した部分に位置する吸収性コアの面積が比較的に小さく、愛玩動物の背側及び後側へ拡がるように移動する体液を十分に吸収することができず、尿が吸収性物品の外部に漏れ出るおそれがある。また、これらの吸収性物品においては、排泄物の漏れを防止するために、内部が閉じられた空間となっている。そのために、排尿によって内部が蒸れ易く、比較的に長時間愛玩動物が横臥して身体の一部に圧力が掛かっているときには、褥瘡が生じたり、それを悪化させたりおそれがある。一方、このような吸収性物品１０の内部の蒸れによる褥瘡の発生を防止するために、吸収性物品を着用させずに吸収性シートを床面４に配置した場合には、吸収性シート上に拡がった尿によって身体が広範囲に汚れるおそれがある。
【００２７】
本実施形態に係る吸収性物品１０においては、第１及び第２区域１１，１２によって床面４に当接された下半身の左右一方側全体が被覆され、第１及び第２区域１１，１２には、比較的に大きな面積を有する吸収性コア１５が位置することから、排尿口から排泄された比較的に多量の尿を速やかに吸収するとともに、吸収性物品１０から外部に漏れ出るのを抑制することができる。また、吸収性物品１０は、第１区域１１と第２区域１２を連結するためのファスナー手段等を備えず、開口に尻尾６を挿通させることによって身体に対しての大きな位置ずれを防止しているのみであるから、その内部は密閉されずに開放状態にあり、排尿によって内部が蒸れることはなく、褥瘡の発生及び悪化を抑制することができる。
【００２８】
また、愛玩動物５の身体の一部に褥瘡が発生するのを防止するために、介護者が愛玩動物５の横臥している向き（上下）を変える必要がある。例えば、図１に示すように、吸収性物品１０の第１区域１１が床面４に当接した状態から所定時間経過後（例えば、２時間経過後）に、介護者が一方の手を床面４と第１区域１１との間に差し入れて抑え、他方の手で第２区域１２を尻部８に押し付けるようにして抑え、吸収性物品１０を尻部８に宛がった状態のまま愛玩動物５を持ち上げてひっくり返す。そうして、第２区域１２が床面４に当接した状態とすることによって、すなわち、床面４に対する体の向きを入れ替えることによって、褥瘡の発生を防止することができる。
【００２９】
吸収性物品１０は、オプションとして第１区域１１と第２区域１２とを連結するファスナー手段を備えていてもよいが、かかる連結手段を備えていなくても、切断ライン１９による開口に尻尾６が挿通されていることから、横臥状態の愛玩動物５から吸収性物品１０が外れることない。また、第１弾性部材６１によって第１側部１６が後肢７に当接することによって、第１側部１６側を手で抑えなくても身体から大きく離間することはないので、体位の入れ替え操作を速やかに行うことができる。また、着用後において、愛玩動物５が横臥状態で身体を動かしても、第１側部１６が後肢７から離間して捲れたり折れ曲がったりするおそれはない。
【００３０】
以上のように、この種の分野において使用される通常の使い捨ておむつ等の吸収性物品においては、長手方向（縦方向）を愛玩動物の身体の延びる方向（前後方向）に一致させた状態で着用するところ、本実施形態に係る吸収性物品１０は、長手方向Ｙを愛玩動物の身体の延びる方向と交差する方向となる態様で着用することによって、吸収性コア１５が該交差方向へ延び、寝たきりの愛玩動物の排泄物の漏れと褥瘡の発生とを効果的に防止しうる。
【００３１】
＜第２実施形態＞
図６は、第２実施形態における吸収性物品１０の図２と同様の図、図７は、図６のＶＩＩ−ＶＩＩ線に沿う断面図、図８は、第２実施形態に係る吸収性物品１０を着用した愛玩動物５が横臥した様子を示す図、図９は、吸収性物品１０を着用した愛玩動物５を後側から視た図である。本実施形態に係る吸収性物品１０の基本的構成は、第１実施形態と同じであるので、相違する構成についてのみ以下に説明する。
【００３２】
図６〜図９を参照すると、本実施形態に係る吸収性物品１０においては、第２側部１７において、長手方向Ｙへ延びる第２弾性部材６２が固定されている。第２側部１７に第２弾性部材６２が配置されていることによって、第２側部１７の側縁部１７ａには、第２弾性部材６２の収縮力の作用したフリル状の弾性部が形成される。
【００３３】
第１及び第２側縁１０ｃ，１０ｄに沿って長手方向Ｙへ延びる一対の立体カフシート７０が配置されている。立体カフシート７０は、それそれ、第１端縁１０ａと第２端縁１０ｂ側において内層シート２０に固定された両端固定部７１，７２と、両端固定部７１，７２間において長手方向Ｙへ延び、かつ、内層シート２０に固定された固定側部（近位部）７３と、固定側部７３の幅方向Ｘの内側（又は外側）に位置する自由部７４とを有する。自由部７４は、立体カフシート７０の側縁部を折り曲げて形成されたスリーブ状の自由縁部７４ａを有し、自由縁部７４ａの内部には第３弾性部材（カフ弾性体）６３が伸長状態で収縮可能に取り付けられる。吸収性物品１０の着用状態において、第３弾性部材６３が伸長されることによって、自由部７４が内層シート２０から離間して起立し、一対の立体カフ（バリアカフ）が形成される。立体カフが形成されることによって、排泄物が背側及び脚側へ移動するのを防止することができる。
【００３４】
第１及び第２側部１６，１７に位置する第１及び第２弾性部材６１，６２は、立体カフシート７０の固定側部７３と内層シート２０よりも幅方向Ｘの外側へ延出した外層シート３０の一部との間に伸長状態で収縮可能に固定される。図８及び図９を参照すると、第１側部１６の側縁部１６ａに第１弾性部材６１の収縮力の作用する弾性部が形成されることによって該側縁部１６ａが後肢７にフィットされるとともに、第２側部１７の側縁部１７ａに第２弾性部材６２の収縮力の作用する弾性部が形成されることによって、該側縁部１７ａが背側にフィットされる。このように、側縁部１６ａのみならず、側縁部１７ａも身体にフィットされるので、第１実施形態よりも、より吸収性物品１０の位置ずれを効果的に防止することができ、また、立体カフを越えて背中側へ移動した尿が外部に漏れるのを抑制することができる。
【００３５】
図６及び図７を参照すると、第１側部１６に位置する立体カフシート７０は、第１及び第２固定端部７１，７２において幅方向Ｘの外側へ倒伏した状態で内層シート２０の身体対向面に固定されている。立体カフシート７０が、いわゆる外倒しされた状態で固定されていることによって、立体カフは幅方向Ｘの外側へ倒伏し、着用状態において後肢７側へ展開されたような態様となるので、弾性を有する自由縁部７４ａが第１弾性部材６１とともに後肢７に当接して、吸収性物品１０の位置ずれを防止しうる。
【００３６】
一方、第２側部１７に位置する立体カフシート７０は、第１及び第２固定端部７１，７２において幅方向Ｘの内側へ倒伏した状態で内層シート２０の身体対向面に固定されている。立体カフシート７０が、いわゆる内倒しされた状態で固定されていることによって、立体カフは幅方向Ｘの内側へ倒伏し、自由部７４が切断ライン１９を覆うとともに、弾性を有する自由縁部７４ａが尻尾６を覆うように当接して、愛玩動物５の動きによって尻尾６が開口から抜け出るのを防止しうる。このように、立体カフは、排泄物の漏れを防止するための障壁として機能するだけでなく、吸収性物品１０を愛玩動物５の身体にフィットさせるための機能を発揮しうる。また、図９を参照すると、第２側部１７に配置された立体カフシート７０は、着用状態において、起立した自由部７４の自由縁部７４ａが雌の愛玩動物５の排泄口付近に当接する。自由縁部７４ａが排泄口付近に当接することによって、排泄された尿が、吸収性コア１５が存在する中央部１８から両側部１６，１７に移動するのを効果的に防止することができる。
【００３７】
立体カフシート７０は、本実施形態と異なり、第１側部１６側において内倒し、第２側部１７において外倒しされていてもよいし、両端固定部７１，７２が固定されていなくてもよい。両端固定部７１，７２が非固定の場合には、立体カフシート７０全体が幅方向Ｘの内側及び／又は外側へ倒伏可能であって、必要に応じて適した態様に倒伏させることができる。
【００３８】
再び、図６を参照すると、尻尾対向域１３の切断ライン１９は、幅方向Ｘの外側に位置する第２弾性部材６２と幅方向Ｘの内側に位置する第３弾性部材６３との間に位置している。このように、切断ライン１９がこれらの弾性部材６２，６３に囲まれていることによって、切断ライン１９を破断してなる開口近傍を身体にフィットさせて、開口から尿が漏れ出るのを防止することができる。かかる効果を奏するために、第２弾性部材６２が開口の内端近傍に位置していることが好ましく、それとともに／又は、第３弾性部材６３が開口の外端近傍に位置していることが好ましい。
【００３９】
吸収性物品１０を構成する部材には、特に明記されていない限りにおいて、本明細書に記載されている材料のほかに、この種の分野において通常用いられている公知の材料を制限なく用いることができる。また、本明細書において使用されている「第１」、「第２」及び「第３」等の用語は、同様の要素、位置等を単に区別するために用いてある。
【００４０】
以上に記載した本発明に関する開示は、少なくとも下記事項に整理することができる。
長手方向及びそれと交差する幅方向と、身体対向面及びその反対側の非身体対向面と、前記長手方向において対向する第１及び第２端縁と、愛玩動物の尻尾と対向する尻尾対向域と、前記尻尾対向域から前記第１端縁側へ延びる、前記愛玩動物の一方の尻部を被覆する第１区域と、前記尻尾対向域から前記第２端縁側へ延びる、前記愛玩動物の他方の尻部を被覆する第２区域と、前記第１区域と前記第２区域とに位置する吸収性コアとを有する愛玩動物用の吸収性物品。
【００４１】
上記段落００４０に開示した本発明は、少なくとも下記の実施の形態を含むことができる。該実施の形態は、分離して又は互いに組み合わせて採択することができる。
（１）前記吸収性コアの両側縁の前記幅方向の外側において前記長手方向へ延びる両側部をさらに有し、一方側部側には前記尻尾対向域が位置し、他方側部には前記長手方向へ延びる第１弾性部材が配置される。
（２）前記尻尾対向域の位置する前記一方側部には、前記長手方向へ延びる第２弾性部材が配置される。
（３）前記吸収性コアの前記身体対向面側を被覆する透液性の内層シートと、前記吸収性コアの前記非身体対向面側を被覆する不透液性の外層シートとをさらに有する。
（４）前記第１及び第２弾性部材は、身体対向面側に位置するシートと前記吸収性コアの非身体対向面側を被覆する不透液性の外層シートとの間に固定される。
（５）前記身体対向面側に位置する前記シートは、不透液性である。
（６）前記両側部のうちの少なくとも一方には、前記第１及び第２端縁側において前記内層シートに固定された両端固定部と、前記両端固定部間において前記長手方向へ延び、かつ、前記内層シートに固定された固定側部と、カフ弾性体が配置された自由縁部とを有する立体カフシートが配置される。
（７）前記立体カフシートは、前記両端固定部において前記幅方向の内側へ倒伏した状態で固定される。
（８）前記立体カフシートは、前記両端固定部において前記幅方向の外側へ倒伏した状態で固定される。
（９）前記尻尾対向域の一部が前記長手方向において前記吸収性コアと重なっており、前記尻尾対向域の外周には前記吸収性コアの非存在域が位置する。
（１０）前記尻尾対向域は、開口又はミシン目から形成される切断ラインを有する。
【符号の説明】
【００４２】
５  愛玩動物
６  尻尾
１０  愛玩動物用の吸収性物品
１１  第１区域
１２  第２区域
１３  尻尾対向域
１５  吸収性コア
２０  内層シート
２１  吸収性コアの非存在域
３０  外層シート
６１  第１弾性部材
６２  第２弾性部材
６３  第３弾性部材
７０  立体カフシート
７１，７２  両端固定部
７３  固定側部
７４ａ  自由縁部
Ｘ  幅方向
Ｙ  長手方向
【要約】      （修正有）【課題】寝たきり状態の愛玩動物に適した愛玩動物用の吸収性物品を提供する。【解決手段】長手方向及びそれと交差する幅方向と、身体対向面及びその反対側の非身体対向面と、長手方向において対向する第１及び第２端縁と、愛玩動物５の尻尾６と対向する尻尾対向域と、該尻尾対向域から該第１端縁側へ延びる、愛玩動物５の一方の尻部を被覆する第１区域と、該尻尾対向域から該第２端縁側へ延びる、愛玩動物５の他方の尻部を被覆する第２区域１２と、該第１区域と第２区域１２とに位置する吸収性コア１５とを有する。【選択図】図１【図１】
0005837250.tif 000002
【図２】
0005837250.tif 000003
【図３】
0005837250.tif 000004
【図４】
0005837250.tif 000005
【図５】
0005837250.tif 000006
【図６】
0005837250.tif 000007
【図７】
0005837250.tif 000008
【図８】
0005837250.tif 000009
【図９】
0005837250.tif 000010